【手続補正書】
【提出日】平成24年4月19日(2012.4.19)
【手続補正１】
【補正対象書類名】特許請求の範囲
【補正対象項目名】全文
【補正方法】変更
【補正の内容】
【特許請求の範囲】
【請求項１】
動脈瘤を処置するための装置であって、
複数の個々の柔軟かつ圧縮性で非液体の充填部材と、
前記個々の非液体の充填部材を、液体流動を用いて運ぶために構成された流動管路と、
前記動脈瘤中に挿入されるとともに前記動脈瘤中で適合するように構成された可撓性を有し膨張可能な液体浸透性ネットまたはメッシュ・エンクロージャとを備え、
前記個々の非液体の充填材料を前記ネットまたはメッシュ・エンクロージャへ運んだ前記液体流動が前記ネットまたはメッシュ・エンクロージャを通過することを前記ネットまたはメッシュ・エンクロージャの開口が可能にしている間前記複数の個々の非液体の充填部材を受けるとともに保つように前記ネットまたはメッシュ・エンクロージャが構成され、これにより、結果として得られる前記ネットまたはメッシュ・エンクロージャ中の前記複数の個々の非液体の充填部材の蓄積により、前記ネットまたはメッシュ・エンクロージャが膨張し前記動脈瘤の内壁と接触するとともに概ね適合し、これにより、前記動脈瘤が実質的に閉塞され、前記ネットまたはメッシュ・エンクロージャが前記動脈瘤中に保たれる装置。
【請求項２】
前記複数の個々の非液体の充填部材が、非炎症性であり、埋め込んでから生物分解性を示さず、抗バクテリア性または抗菌性であり、
前記個々の非液体の充填部材の少なくとも１つが、スポンジ材料、フォーム材料、またはゲル材料のうちの少なくとも１つを含む、
請求項１に記載の装置。
【請求項３】
前記個々の非液体の充填部材の少なくとも１つが、球体、卵型、楕円体、または多面体のうちの少なくとも１つの形状となるように構成された、
請求項１に記載の装置。
【請求項４】
前記個々の非液体の充填部材が、約５〜約５０のＳｈｏｒｅ  ＯＯ値を有する、
請求項１に記載の装置。
【請求項５】
前記個々の非液体の充填部材が、約５０マイクロメートル〜約２０００マイクロメートルのサイズを有する、
請求項１に記載の装置。
【請求項６】
前記複数の個々の非液体の充填部材が、互いに異なるサイズの充填部材を含む、
請求項１に記載の装置。
【請求項７】
前記個々の非液体の充填部材が、血液が存在する場合よりも髄液（ＣＳＦ）が存在する場合に、前記個々の非液体の充填部材の互いに対するより強い接着力をもたらす材料を含む、
請求項１に記載の装置。
【請求項８】
前記個々の非液体の充填部材が放射線不透過性である、請求項１に記載の装置。
【請求項９】
前記ネットまたはメッシュ・エンクロージャが、前記個々の非液体の充填部材の少なくともいくつかの一部分が部分的に前記ネットまたはメッシュ・エンクロージャから突出することを可能にする前記ネットまたはメッシュ・エンクロージャにおける開口を有する、
請求項１に記載の装置。
【請求項１０】
前記ネットまたはメッシュ・エンクロージャが、ナイロン材料、ポリプロピレン材料、ポリエステル材料、ポリテトラフルオルエチレン材料、またはポリテトラフルオロエチレン材料の少なくとも１つ含む、
請求項１に記載の装置。
【請求項１１】
前記ネットまたはメッシュ・エンクロージャが、前記動脈瘤への挿入のために最初は折りたたまれるかまたは圧縮された、
請求項１に記載の装置。
【請求項１２】
前記ネットまたはメッシュ・エンクロージャが、
開口であって、前記液体流動中の前記個々の非液体の充填部材が前記開口を通過して前記エンクロージャ中に導入される開口と、
前記開口に関連付けられたクロージャと
を備え、
前記クロージャが、前記ネットまたはメッシュ・エンクロージャが膨張させられた後に、作動されて前記開口のサイズを減少させるように構成された、
請求項１に記載の装置。
【請求項１３】
前記ネットまたはメッシュ・エンクロージャが放射線透過性である、
請求項１に記載の装置。
【請求項１４】
前記ネットまたはメッシュ・エンクロージャがエコー源性を有する、
請求項１に記載の装置。
【請求項１５】
前記ネットまたはメッシュ・エンクロージャが、ＭＲで見ることが可能である、
請求項１に記載の装置。
【請求項１６】
前記ネットまたはメッシュ・エンクロージャが、差異的強度、差異的可撓性、差異的塑性、または差異的弾性の少なくとも１つを、前記ネットまたはメッシュ・エンクロージャのうちの異なる領域間で有するように構成された、
請求項１に記載の装置。
【請求項１７】
前記個々の非液体の充填部材および前記ネットまたはメッシュ・エンクロージャを血管内で前記動脈瘤中に輸送するためにサイズ設定および形状付けが行われた細長い可撓性血管内部材をさらに備える、
請求項１に記載の装置。
【請求項１８】
前記細長い可撓性血管内部材が、前記管路を有するカテーテルを備える、
請求項１７に記載の装置。
【請求項１９】
前記ネットまたはメッシュ・エンクロージャが、前記細長い可撓性血管内部材から取外し可能な、または前記細長い可撓性血管内部材と関連した機器もしくはメカニズムから取外し可能なクロージャを用いることにより引き動作で閉じられるように構成された開口を有する、
請求項１８に記載の装置。
【請求項２０】
前記クロージャが、コード、ワイヤ、タイオフ、ねじ山をつけた部材、形状記憶材料、クラスプ、接着剤、またはこれらの組合せのうちの少なくとも１つを含む、
請求項１８に記載の装置。
【請求項２１】
前記ネットまたはメッシュ・エンクロージャ中で前記細長い可撓性血管内部材から外へ前記動脈瘤中に延びて、前記ネットまたはメッシュ・エンクロージャを前記動脈瘤内に押すように構成された細長部材を備える、
請求項１７に記載の装置。
【請求項２２】
複数の個別個々の柔軟でかつ圧縮性で非液体の充填部材であって、
前記複数の個別個々の非液体の充填部材が、非炎症性であり、埋め込んでから生物分解性を示さず、抗バクテリア性または抗菌性であり、
前記個別個々の非液体の充填部材の少なくとも１つが、スポンジ材料、フォーム材料、またはゲル材料のうちの少なくとも１つを含み、
前記個別個々の非液体の充填部材の少なくとも１つが、球体、卵型、楕円体、または多面体のうちの少なくとも１つの形状となるように構成され、
前記個別個々の非液体の充填部材が、約５〜約５０のＳｈｏｒｅ  ＯＯ値を有し、
前記個別個々の非液体の充填部材が、約５０マイクロメートル〜約２０００マイクロメートルのサイズを有する柔軟圧縮性充填部材と、
流動管路を提供し、前記充填部材を液体流動中でを用いて運ぶために構成されたカテーテルと、
前記動脈瘤中に挿入されるとともに前記動脈瘤中で適合するように構成された可撓性を有し膨張可能な液体浸透性ネットまたはメッシュ・エンクロージャとを備える、
動脈瘤を処置する装置であって、
前記ネットまたはメッシュ・エンクロージャが、前記個別個々の非液体の充填材料を前記ネットまたはメッシュ・エンクロージャへ運んだ前記液体流動が前記ネットまたはメッシュ・エンクロージャを通過することを前記ネットまたはメッシュ・エンクロージャの開口が可能にしている間前記複数の個別個々の非液体の充填部材を受けるとともに保つように前記ネットまたはメッシュ・エンクロージャが構成され、これにより、結果として得られる前記ネットまたはメッシュ・エンクロージャ中の前記複数の個別個々の非液体の充填部材の蓄積により、前記ネットまたはメッシュ・エンクロージャが膨張し前記動脈瘤の内壁と接触するとともに概ね適合し、これにより、前記動脈瘤が実質的に閉塞され、前記ネットまたはメッシュ・エンクロージャが前記動脈瘤中に保たれ、
前記ネットまたはメッシュ・エンクロージャが、前記細長い可撓性血管内部材から取外し可能な、または前記細長い可撓性血管内部材と関連した機器もしくはメカニズムから取外し可能なクロージャを用いることにより引き動作で閉じられるように構成された開口を有する、
装置。